(57)【要約】      （修正有）【課題】フォーカシングスクリーンを小型、低コストで安定した付勢力でセット位置に保持することが可能なフォーカシングスクリーン保持機構を提供する【解決手段】ピント観察位置と交換着脱位置との間を移動可能なカメラのフォーカシングスクリーン保持機構において、フォーカシングスクリーン４を回動する為のヒンジ部１８ａと、フォーカシングスクリーン４を光軸方向に押圧するための押圧手段３０とを備えたスクリーン保持部材１８を設ける。【選択図】図１
2012185251.tif 000002
【特許請求の範囲】
【請求項１】
フォーカシングスクリーン（４）を保持するスクリーン保持部材（１８）と、ピント観察時にフォーカシングスクリーンの光軸方向の位置を決定する基準面（２ｂ）を備え、前記スクリーン保持部材（１８）が、『フォーカシングスクリーン（４）をピント観察位置に固定状態とするセット位置』と、『フォーカシングスクリーンを交換着脱する着脱位置』との間を移動可能なカメラのフォーカシングスクリーン保持機構において、前記スクリーン保持部材（１８）は、フォーカシングスクリーン（４）のセット位置と着脱位置との間を回動する為のヒンジ部（１８ａ）と、前記スクリーン保持部材（１８）の内側に、フォーカシングスクリーン（４）の光軸方向の押圧手段（３０）を有し、前記押圧手段（３０）は、スクリーン保持部材（１８）の前記ヒンジ部（１８ａ）と対向する長辺の中心部近傍と、左右短辺のヒンジ部（１８ａ）近傍に支点を有し、前記押圧手段（３０）によりフォーカシングスクリーン（４）の外周部の凸部（４ｄ）を当接させることで、フォーカシングスクリーン（４）がセット位置状態の時に基準面（２ｂ）に付勢する事を特徴としたカメラのフォーカシングスクリーン保持機構。
【請求項２】
前記スクリーン保持部材（１８）が前記着脱位置からセット位置に移動するときに、前記フォーカシングスクリーン（４）を前記カメラ本体に設けられたつき当て部（２２Ｒ又は１８ｇ）に押圧してこのフォーカーシングスクリーン（４）の面内方向位置決めを行う押圧手段（２３又は１９ａ）を少なくとも１つ有し、前記面内方向の位置決めを行う押圧手段の押圧が前記光軸方向の押圧手段による摩擦力よりも大きいことを特徴とした請求項１に記載のカメラのフォーカシングスクリーン保持機構。
【請求項３】
前記押圧手段（３０）が光軸方向と少なくとも面内方向の１方向に付勢可能な付勢形状を一体的に有する事を特徴とした請求項２に記載のカメラのフォーカシングスクリーン保持機構。
【請求項４】
前記基準面（２ｂ）の表面に潤滑塗装を施したことを特徴とした請求項２又は請求項３に記載のカメラのフォーカシングスクリーン保持機構。
【発明の詳細な説明】
【技術分野】
【０００１】
本発明は、一眼レフカメラ、デジタル一眼レフ型カメラ等に関し、特にフォーカシングスクリーンの交換機構を有したカメラのフォーカシングスクリーン保持機構に関する。
【背景技術】
【０００２】
一眼レフカメラ、一眼レフ型デジタルスチルカメラでは、使用するレンズや被写体の状態に応じてフォーカシングスクリーンを交換可能に構成したカメラが既に発売されている。
【０００３】
このようなカメラのフォーカシングスクリーン保持機構としては、例えば、特許文献１にて開示されたものがあり、このカメラはバネにより形成されたスクリーン保持枠により、フォーカシングスクリーンを光軸方向の突き当て部に付勢し、フォーカシングスクリーンをピント観察位置に固定状態とする構成が取られている
また特許文献２では、フォーカシングスクリーン保持枠に板バネが組み込まれており、その板バネによりフォーカシングスクリーンを光軸方向の突き当て部に付勢し、フォーカシングスクリーンをピント観察位置に固定状態とする構成が取られている
【先行技術文献】
【特許文献】
【０００４】
【特許文献１】特開２００１−１７４８８０号公報
【特許文献２】特開２００７−２５５５４号公報
【発明の概要】
【発明が解決しようとする課題】
【０００５】
しかしながら、上述の特許文献に開示された従来技術では、次のような課題があった。
【０００６】
一般的にフォーカシングスクリーンはアクリル等のモールドで形成され、板状の形をしているものが多く、光軸方向に付勢する際に過剰な付勢力がかかると、変形してしまい、ファインダーのピントと撮影系のピントの相互差が生じてしまう。
【０００７】
特許文献１では、バネにより形成されたスクリーン保持枠により、フォーカシングスクリーンを光軸方向の突き当て部に付勢する構成の為、交換時に保持枠を変形させてしまうことを防ぐ為にスクリーン保持枠の剛性が必要となり、バネ定数が高くなってしまう。その為、部品の寸法ばらつき等により、バネのストロークが変化した際の付勢力のばらつきが大きく、過剰な付勢力がかかってしまうという問題があった。
【０００８】
特許文献２では、スクリーン保持枠に板バネが組み込まれている構成の為、保持枠の剛性を保ったままバネ定数を低く設定することが可能で、部品のばらつき等によりバネのストロークが変化しても、過剰な付勢力がかからない付勢力を設定することが可能であるが、板バネを保持枠に固定する為にスペースが必要となり、保持枠そのものを大きくしなければならないという問題があった。また、板バネを保持枠に固定する為に溶接等が必要になってしまい、コストが高くなってしまうという問題があった。
【０００９】
本発明の目的は、小型、低コストでフォーカシングスクリーンを安定した付勢力で光軸方向のセット位置に保持することを可能にしたカメラのフォーカシングスクリーン保持機構を提供することである。
【課題を解決するための手段】
【００１０】
本発明に係るカメラのフォーカシングスクリーン保持機構は、フォーカシングスクリーン（４）を保持するスクリーン保持部材（１８）と、ピント観察時にフォーカシングスクリーンの光軸方向の位置を決定する基準面（２ｂ）を備え、前記スクリーン保持部材（１８）が、『フォーカシングスクリーン（４）をピント観察位置に固定状態とするセット位置』と、『フォーカシングスクリーンを交換着脱する着脱位置』との間を移動可能なカメラのフォーカシングスクリーン保持機構において、前記スクリーン保持部材（１８）は、フォーカシングスクリーン（４）のセット位置と着脱位置との間を回動する為のヒンジ部（１８ａ）と、前記スクリーン保持部材（１８）の内側に、フォーカシングスクリーン（４）の光軸方向の押圧手段（３０）を有し、前記押圧手段（３０）は、スクリーン保持部材（１８）の前記ヒンジ部（１８ａ）と対向する長辺の中心部近傍と、左右短辺のヒンジ部（１８ａ）近傍に支点を有し、前記押圧手段（３０）によりフォーカシングスクリーン（４）の外周部の凸部（４ｄ）を当接させることで、フォーカシングスクリーン（４）がセット位置状態の時に基準面（２ｂ）に付勢する事を特徴とする。
【発明の効果】
【００１１】
本発明によれば、小型、低コストでフォーカシングスクリーンを安定した付勢力で光軸方向のセット位置に保持することが可能なカメラのフォーカシングスクリーン保持機構を提供することができる。
【図面の簡単な説明】
【００１２】
【図１】本発明の第１実施形態であるカメラの概要を示すカメラ側面断面図である。
【図２】上記カメラのスクリーン保持部材の詳細図である。
【図３】上記カメラのスクリーン保持機構の上面図とＥ−Ｅ断面図である。
【図４（Ａ）】上記スクリーン保持機構の作動説明図である（その１）。
【図４（Ｂ）】上記スクリーン保持機構の作動説明図である（その２）。
【図４（Ｃ）】上記スクリーン保持機構の作動説明図である（その３）。
【図４（Ｄ）】上記スクリーン保持機構の作動説明図である（その４）。
【図５】上記カメラにおけるファインダー視野を示す平面図である。
【図６】上記カメラのフォーカシングスクリーンの平面図である。
【図７】上記カメラのスーパーインポーズ液晶の平面図である。
【発明を実施するための形態】
【００１３】
図１には、本願発明の第１実施形態であるカメラを示している。この図において、１はカメラ本体であり、以下、図１の左側をカメラ本体１の前側といい、右側をカメラ本体１の後側という。
【００１４】
２はカメラ本体１に固着されるファインダー光学系の基準となるミラーボックスである。３はミラーボックス２に対して回動自在なミラーユニットであり、４はフォーカシングスクリーンである。このフォーカシングスクリーン４は、光入射面にフレネルレンズ４ａ、光射出面にマット面４ｂを有する。そして、マット面４ｂ上には、図３に示すように、スポット測光マーク４ｃが刻印されている。また後述するようにフォーカシングスクリーン４をピントの基準となるミラーボックス２の基準面２ｂ（図４参照）に押圧する付勢部材と当接する凸部４ｄを有する。
【００１５】
５はスーパーインポーズ用液晶で、ポリマーネットワーク液晶などで構成され、複数の焦点検出領域（ＡＦ検出領域）のセグメントパターン５ａを有し、選択されたセグメント領域のみを不透過とすることで、情報を表示する。このスーパーインポーズ用液晶５はミラーボックス２に対して精度良く固定されている。ここでフォーカシングスクリーン４に結像された被写体像とセグメントパターン５ａが重ねて表示され、接眼レンズ８ａ，８ｂ，８ｃを介して観察される。
【００１６】
６はコンデンサーレンズであり、７はペンタプリズムである。８ａ，８ｂ，８ｃは接眼レンズである。なお、これらはファインダー系を構成している。
【００１７】
１０，１１はそれぞれ被写体の輝度を測定する為の測光センサーと測光レンズである。これら測光センサー１０と測光レンズ１１は、画面中央（スポット測光マーク４ｃ）の領域を測光するスポット測光とその外側まで感度を有する部分測光等が可能である。
【００１８】
１５は公知の焦点検出ユニットであり、１６はシャッター装置である。１７はミラーボックス２の開口部に固着され、不図示の交換レンズを装着するマウントである。
【００１９】
このように構成される本実施形態のカメラでは、図５に示すような被写体視野部と、この被写体視野部の外側に位置するシャッタースピード、絞り値、露出補正量等の撮影条件を表示する視野外表示部（不図示）とを有するファインダー視野を得る。被写体視野部は、図１に示すようにスーパーインポーズ用液晶５とフォーカシングスクリーン４とをファインダー光軸方向に重ねて配置することにより得られ、セグメントパターン５ａと測光マーク４ｃを被写体像に重ねて観察することができる。
【００２０】
ところで、本実施形態のカメラでは、フォーカシングスクリーンとして、図６（Ａ）に示すように中央にスポット測光マーク４ｃが刻印された形態のものや、図６（Ｂ）に示すように方眼が刻印された形態のもの４′を選択して装着することができる。但し、いずれのフォーカシングスクリーン４，４′を選択する場合も、図７（Ａ）や図７（Ｂ）に示すように、スーパーインポーズ用液晶５にて表示されたセグメントパターン５ａと、フォーカシングスクリーン４，４′に形成された測光マーク４ｃや方眼とが適正に重なって見えることが必要となる。
【００２１】
そこで、本実施形態のカメラでは、フォーカシングスクリーン４，４′の交換等を容易に行えるとともに、装着したフォーカシングスクリーン４，４′を、セグメントパターン５ａ、つまりはカメラ本体１（ミラーボックス２）に対して正確に位置決めすることができるフォーカシングスクリーン保持機構を有している。
【００２２】
１８はフォーカシングスクリーン４が着脱可能に装填されるスクリーン保持部材である。このスクリーン保持部材１８の後端部には横Ｕ字形状に曲げ加工されたヒンジ部１８ａが設けられており、前端部には引っかけ部１８ｂが形成されている。ミラーボックス２のシャッター側近傍にはヒンジ部１８ａを支持する軸２１が固着されている。これにより、スクリーン保持部材１８は、軸２１回りで、装着されたフォーカシングスクリーン４をファインダー光軸方向においてスーパーインポーズ用液晶５に近接させるセット位置（図４（Ｄ）に示す位置）と、スーパーインポーズ用液晶５との間にフォーカシングスクリーン４を着脱する為のスペースを形成する着脱位置（図４（Ａ）に示す位置）との間で揺動が可能である。
【００２３】
なお、スクリーン保持部材１８の底面部には線バネ３０（請求の範囲にいう押圧手段）が係止されており、この線バネ３０は、後述するようにスクリーン保持部材１８に装着されたフォーカシングスクリーン４をミラーボックス２の基準面２ｂ（図４参照）に押圧する。
【００２４】
１９は板バネにより作られ、セット位置に位置したスクリーン保持部材１８の引っかけ部１８ｂに係合してスクリーン保持部材１８をセット位置に係止するとともに、フォーカシングスクリーンを面内後ろ方向に付勢力Ｄで押圧する押圧部１９ａを有する係止兼押圧部材である。（図３（Ａ）参照）。
【００２５】
２０はマウント１７の内側に形成され、係止兼押圧部材１９を覆ってミラーボックス２に固着されたカバーである。
【００２６】
図２（Ａ）、（Ｂ）は線バネ３０と、線バネ３０をスクリーン保持部材１８に組み込んだ状態を示している。
【００２７】
線バネ３０は略コの字状に形成され、長辺中心部近傍に係止部３０ａと左右先端部に係止部３０ｂ、３０ｃを有しており、スクリーン保持部材１８のヒンジ部１８ａとは対向する長辺の中心部近傍に設けられた係止穴１８ｃと、スクリーン保持部材１８の左右短辺のヒンジ部近傍に開けられた係止穴１８ｄ、１８ｅに係止する事で保持され、前記係止部近傍を支点として、フォーカシングスクリーン４の凸部４ｄと当接し、光軸方向の付勢力をもつ押圧手段として機能する。
【００２８】
このように、長辺中心部近傍と左右ヒンジ部近傍に支点を設けることで、バネの長さを最大限に活用することができる為、スクリーン保持部材１８の剛性を保ったままバネ定数を低く設定することができ、部品のばらつき等が発生したとしても、安定した付勢力で光軸方向に付勢することができる。また、３点の係止部でスクリーン保持部材１８に保持する為、溶接等の必要がなく、線バネを使用することで、小型化が可能となる。
【００２９】
図３（Ａ）はスクリーン保持機構の上面図であり、図３（Ｂ）はそのＥ−Ｅ断面図である。
【００３０】
ミラーボックス２の内側面のうち一方には、固定ピン２２Ｒ（請求の範囲にいう突当て部）がミラーボックス２に一体的に取り付けられており、他方における固定ピン２２Ｒに対向する位置には、可動ピン２２Ｌがバネ２３によりミラーボックス２の内側に突出する方向に付勢されて取り付けられている。可動ピン２２Ｌのフォーカシングスクリーン４との側面当接箇所は、所定角度だけ傾けて形成されており、この角度により、セット位置ではフォーカシングスクリーン４を可動ピン２２Ｌにより面内方向に付勢力Ｃで押圧し、且つ、交換時には可動ピン２２Ｌによりフォーカシングスクリーン４を着脱位置に付勢力Ｂで付勢することができる。このように押圧手段は２方向への付勢力を備えている。
【００３１】
次に、図４を用いて、このように構成されたカメラにおけるフォーカシングスクリーン４の装填手順と保持機構の動きについて説明する。まず図４（Ａ）に示すようにスクリーン保持部材１８を着脱位置に降ろした状態で、このスクリーン保持部材１８にフォーカシングスクリーン４を装填する。なお、フォーカシングスクリーン４をスクリーン保持部材１８に装填し易くする為、スクリーン保持部材１８はフォーカシングスクリーン４に対して前後左右にガタを有するように大きめに作られている。
【００３２】
フォーカシングスクリーン４をスクリーン保持部材１８に装填した後、スクリーン保持部材１８を図４（Ｂ）に示すようにセット位置に向けて押し上げると、固定ピン２２Ｒおよび可動ピン２２Ｌの先端が、スクリーン保持部材１８の側面部に形成された開口部１８ｆを通してスクリーン保持部材１８の内側に突出する。
【００３３】
フォーカシングスクリーン４は、左右の側面部（外周部）がスクリーン保持部材１８の内側に突出した固定ピン２２Ｒおよび可動ピン２２Ｌの先端に当接して、これら先端の曲面に沿ってスクリーン保持部材１８の内側において左右（面内方向）に移動する。これにより、フォーカシングスクリーン４は、可動ピン２２Ｌによって固定ピン２２Ｒに押圧された状態で左右方向の位置決めがなされる。これとともに、スクリーン保持部材１８の引っかけ部１８ｂが係止兼押圧部材１９の下側の斜面部に当接する。
【００３４】
この状態から更に、スクリーン保持部材１８を図４（Ｃ）の位置に押し上げると、引っ掛け部１８ｂが係止兼押圧部材１９の斜面部に沿って上昇して、係止兼押圧部材１９のフォーカシングスクリーン押圧部１９ａによりフォーカシングスクリーン４に対し前後方向（面内方向）の付勢力が発生し、フォーカシングスクリーンの後端部がスクリーン保持部材１８の突き当て部１８ｇに突き当たり、フォーカシングスクリーン４は係止兼押圧部材１９によって、突き当て部１８ｇに押圧された状態で面内前後方向の位置決めがなされる。
このようにして押圧部２２Ｒ、２２Ｌによる左右方向の位置決めと、係止兼押圧部材１９による前後方向の位置決めが完了すると、線バネ３０により、光軸方向の基準面２ｂに付勢された状態で図４（Ｄ）のように、引っ掛け部１８ｂが係止兼押圧部材１９の係止部に係合してスクリーン保持部材１８がセット位置に係止される。
【００３５】
このように、フォーカシングスクリーン４をスクリーン保持部材１８に装填して、スクリーン保持部材１８をセット位置に向けて押し上げると、押圧部２２Ｌにより面内左右方向の位置決めが行われ、次いで係止兼押圧部材１９により面内前後方向の位置決めが行われ、更に、ファインダー光軸方向（上下方向）の位置決めが線バネ３０と、係止兼押圧部材１９によって行われる。これによってフォーカシングスクリーン４は、面内方向及び光軸方向においてミラーボックス２を基準として正確な位置決めが行われる。
【００３６】
又、フォーカシングスクリーン４の交換時には、係止兼押圧部材１９を解除方向（カメラ前側）へ引き上げると、先ず、スクリーン保持部材１８の引っ掛け部１８ｂと係止兼押圧部材１９の係止部が外れるとほぼ同時に、係止兼押圧部材１９による前後方向の位置決めが解除され、次に、押圧手段２２Ｌにより左右方向の位置決めが解除されて、フォーカシングスクリーン４の交換等が可能になる。
【００３７】
次に図３（Ａ）、（Ｂ）を用いて、線バネ３０の光軸方向の付勢力Ａ、バネ２３の光軸方向の付勢力Ｂ、面内方向の付勢力Ｃ、係止兼押圧部材１９の面内方向の付勢力Ｄ、の大小関係について説明する。
【００３８】
フォーカシングスクリーン４にかかる光軸方向の付勢力Ｆ１は線バネ３０の付勢力Ａ、バネ２３の光軸方向の付勢力Ｂの和となり、ミラーボックス２の基準面２ｂへ付勢する方向を正とすると
Ｆ１＝Ａ−Ｂ
で表わされる。
【００３９】
次にフォーカシングスクリーン４を面内方向に移動させる為に必要な摩擦力Ｆ２は
フォーカシングスクリーン４と基準面２ｂ間の静止摩擦係数μを用いて
Ｆ２＝μ×（Ｆ１）
で表わされる。
【００４０】
ここで、係止兼押圧部材１９、押し圧手段３０、バネ２３の付勢力の大小関係は下記のようになっている。
・Ａ＞Ｂ
・Ｂ＞Ｆ２
・Ｄ＞Ｆ２
これにより、フォーカシングスクリーン４をセットする動作時、また、撮影時の、不慮の衝撃、振動等により、もしフォーカシングスクリーン４が押圧部２２Ｒ、１８ｇから離れてしまった場合も、線バネ３０、バネ２３、係止兼押圧部材１９の押圧部１９ａの付勢力により、確実に光軸方向、及び面内方向に再位置決めを行うことができる。
【００４１】
また静止摩擦係数μを小さくする為に、基準面２ｂには、潤滑塗装が施されている。
【００４２】
このように、本実施の形態によれば、スクリーン保持部材１８を着脱位置に下降させてフォーカシングスクリーン４，４′を容易にスクリーン保持部材１８に対して着脱できるだけでなく、セット時にはスクリーン保持部材１８を着脱位置からセット位置に押し上げるという簡単な操作のみで、確実にフォーカシングスクリーン４，４′をスーパーインポーズ用液晶５に対して正確に同軸上に重ね合わせることができる。そして、高精度に位置決めされたフォーカシングスクリーンに対してスーパーインポーズ表示を行うことにより、スーパーインポーズ表示の中心とフォーカシングスクリーン上の表示の中心とを合致させた品位の高いファインダーを有するカメラを実現することができる。
【００４３】
また、各押圧手段の付勢力の大小関係を
・Ａ＞Ｂ
・Ｂ＞Ｆ２
・Ｄ＞Ｆ２
とする事で、フォーカシングスクリーンをセットする動作時、また、撮影時の、不慮の衝撃、振動等により、もしフォーカシングスクリーンが押圧部２２Ｒ、１８ｇから離れてしまった場合も、線バネ３０、バネ２３、係止兼押圧部材１９の押圧部１９ａの付勢力により、確実に光軸方向、及び面内方向に再位置決めを行うことができる。
【００４４】
また、フォーカシングスクリーンの光軸方向の押圧手段をスクリーン保持枠１８内に係止した線バネ３０を、長辺中心部近傍と左右先端部に支点を設けるように保持することで、スクリーン保持部材１８の剛性を保ったままバネ定数を低く設定ができる為、部品のばらつき等が発生したとしても、安定した付勢力で光軸方向に付勢することができる。また、３点の係止部でスクリーン保持部材１８に保持する為、溶接等の必要がなく、低コストで実現可能となり、線バネを使用することで、小型化が可能となる。
【００４５】
なお、本実施形態では、面内左右方向の突き当て部をカメラ本体１と別体である固定ピン２２Ｒをカメラ本体１（ミラーボックス２）に取り付け、面内前後方向の突き当て基準をスクリーン保持部材１８に設けた場合について説明したが、これに限定するものでは無く、固定ピン２２Ｒに相当する部分をカメラ本体１に一体成形しても良い。また、つき当て基準１８ｇに相当する部分をカメラ本体１に一体成型したり、スクリーン保持部材１８とは別に設定しても良い。
【００４６】
また、本実施形態では、フォーカシングスクリーン４の面内方向のうち２方向をフォーカシングスクリーン４を直接押圧する方式について説明したが、スクリーン保持部材１８を介した押圧を行ったり、光軸方向に付勢する線バネ３０に一体的に面内方向の押圧部を形成してもよい。
【００４７】
また、本実施形態では、フォーカシングスクリーン４の凸部４ｄと線バネ３０を当接するようにしているが、凸部４ｄがない平面部を当接させて付勢させても良い。
【００４８】
以上、本発明の好ましい実施形態について説明したが、本発明はこれらの実施形態に限定されず、その要旨の範囲内で種々の変形及び変更が可能である。
【符号の説明】
【００４９】
１  カメラ本体
２  ミラーボックス
３  ミラーユニット
４  フォーカシングスクリーン
４ａ  フレネルレンズ
４ｂ  マット面
４ｃ  スポット測光マーク
２ｂ  基準面
４ｄ  凸部
５  スーパーインポーズ用液晶
６  コンデンサーレンズ
７  ペンタプリズム
８  ａ，８ｂ，８ｃ接眼レンズ
１０  測光センサー
１１  測光レンズ
１５  焦点検出ユニット
１６  シャッター装置
１７  マウント
５ａ  測距視野枠
４ｃ  測光マーク
１８  スクリーン保持部材
１８ａ  ヒンジ部
１８ｂ  引っかけ部
２１  軸
３０  線バネ
１９  押圧部
１９ａ  係止兼押圧部材
２０  カバー
３０ａ  係止部
３０ｂ、３０ｃ  係止部
１８ｃ  係止穴
１８ｄ、１８ｅ  係止穴
１８ｆ  切欠き部
１８ｇ  突き当て部
２２Ｒ  固定ピン
２２Ｌ  可動ピン
２３  バネ
【図１】
2012185251.tif 000003
【図２】
2012185251.tif 000004
【図３】
2012185251.tif 000005
【図４（Ａ）】
2012185251.tif 000006
【図４（Ｂ）】
2012185251.tif 000007
【図４（Ｃ）】
2012185251.tif 000008
【図４（Ｄ）】
2012185251.tif 000009
【図５】
2012185251.tif 000010
【図６】
2012185251.tif 000011
【図７】
2012185251.tif 000012